(57)【要約】【課題】  故障による紙詰まりの発生に対して適切な対処をすることのできる印刷装置を提供する。【解決手段】  プリンタ１の印刷処理で紙詰まりが発生した場合に、紙詰まり検知部１１ａが紙詰まりの発生を検知して、紙詰まり履歴取得部１１ｂが紙詰まり履歴を取得する。条件判断部１１ｃは、取得した紙詰まり履歴が、記憶部１２に規定の機能限定条件に該当しているか判断し、該当している場合に印刷機能限定部１１ｄが印刷機能を限定する。【選択図】        図１
2007083460.tif 000002
【特許請求の範囲】
【請求項１】
用紙搬送路の各所に設けられた紙詰まり検知手段と、
前記紙詰まり検知手段が印刷処理の実行時に紙詰まりを検知すると、紙詰まりをした用紙の情報を含む処理関連情報を紙詰まり履歴として記憶する記憶手段と、
前記紙詰まり履歴が予め定めされた条件に該当しているか判断する判断手段と、
前記条件に該当していると前記判断手段が判断した場合に機能限定モードへ移行する移行手段、
とを有する印刷装置。
【請求項２】
請求項１に記載の印刷装置であって、
前記紙詰まり履歴が前記条件に該当していると前記判断手段が判断した場合に、ユーザに機能限定モードへの移行を促す移行促進手段を、
さらに有することを特徴とする印刷装置。
【請求項３】
請求項２に記載の印刷装置であって、
前記記憶手段が、前記紙詰まり履歴として湿度を記憶することを特徴とする印刷装置。
【請求項４】
請求項２に記載の印刷装置であって、
前記紙詰まり履歴が前記条件に該当していると前記判断手段が判断した場合に、前記移行手段が機能限定として印刷可能な用紙サイズを制限することを特徴とする印刷装置。
【請求項５】
請求項２に記載の印刷装置であって、
前記紙詰まり履歴が前記条件に該当していると前記判断手段が判断した場合に、前記移行手段が機能限定として印刷可能な用紙の質を制限することを特徴とする印刷装置。
【請求項６】
請求項２に記載の印刷装置であって、
印刷処理における紙詰まり発生時に、当該印刷処理の指示をネットワーク上の他の印刷装置に送信する送信手段、をさらに有することを特徴とする印刷装置。
【請求項７】
請求項２に記載の印刷装置であって、
印刷処理における紙詰まり発生時に、印刷条件を変更する変更手段、をさらに有することを特徴とする印刷装置。
【請求項８】
請求項７に記載の印刷装置であって、
前記変更手段が、印刷条件として用紙サイズを変更することを特徴とする印刷装置。
【請求項９】
請求項７に記載の印刷装置であって、
前記変更手段が、印刷条件として用紙の質を変更することを特徴とする印刷装置。
【発明の詳細な説明】
【技術分野】
【０００１】
本発明は、紙詰まりに適切に対処できる印刷装置に関する。
【背景技術】
【０００２】
プリンタ、複写機などに故障が発生すると、修理されるまでは通常使用することができない。したがって従来は、ユーザが解決できない故障が発生した場合に、サービスマンが修理するまで使用することができなかった。これに対して、特許文献１には、複数のヒータのうちが数本が故障した場合に、直ちに印刷を停止するのではなく、正常なヒータにあわせて、印刷する用紙の種類の判断をして、限定的ではあるが運用を継続可能にした印刷装置が示されている。
【特許文献１】特開平１１−３８８２８号公報
【発明の開示】
【発明が解決しようとする課題】
【０００３】
しかしながら、上記従来例の印刷装置では、故障の種類がヒータの故障に限定されているため、例えばドラムフィンガーの故障による紙詰まりが発生した場合は、修理するまで運用を継続することができない場合があった。
【０００４】
本発明は、こうした実情に鑑みてなされたものであり、故障による紙詰まりの発生に対して適切な対処をすることのできる印刷装置を提供することをその目的の一つとする。
【課題を解決するための手段】
【０００５】
上記従来例の問題点を解決するための本発明は、用紙搬送路の各所に設けられた紙詰まり検知手段と、前記紙詰まり検知手段が印刷処理の実行時に紙詰まりを検知すると、紙詰まりをした用紙の情報を含む処理関連情報を紙詰まり履歴として記憶する記憶手段と、前記紙詰まり履歴が予め定めされた条件に該当しているか判断する判断手段と、前記条件に該当していると前記判断手段が判断した場合に機能限定モードへ移行する移行手段とを有する印刷装置である。また、前記印刷装置は、前記紙詰まり履歴が前記条件に該当していると前記判断手段が判断した場合に、ユーザに機能限定モードへの移行を促す移行促進手段をさらに有してもよい。ここで、前記記憶手段は、前記紙詰まり履歴として湿度を記憶してもよい。また、前記紙詰まり履歴が前記条件に該当していると前記判断手段が判断した場合に、前記移行手段が機能限定として印刷可能な用紙サイズを制限してもよいし、印刷可能な用紙の質を制限してもよい。
【０００６】
さらに、前記印刷装置は、印刷処理における紙詰まり発生時に、該印刷処理の指示をネットワーク上の他の印刷装置に送信する送信手段を有してもよい。
【０００７】
さらに、前記印刷装置は、印刷処理における紙詰まり発生時に、印刷条件を変更する変更手段を有してもよい。変更する印刷条件は、用紙サイズを変更してもよいし、用紙の質を変更してもよい。
【発明を実施するための最良の形態】
【０００８】
本発明の実施の形態について図面を参照して説明する。図１は本発明に係る印刷装置としての複写機０の断面概略図の一例を示している。複写機０は、スキャナー００とプリンタ１から構成されている。さらに、プリンタ１は、画像形成装置２、給紙装置３を有し、画像形成装置２において、給紙装置３から搬送される記録用紙に画像を印刷する。なお、プリンタ１は、画像形成装置２や給紙装置３以外の各装置からも構成されているが、ここでは詳細な説明を省略する。
【０００９】
プリンタ１内部には、記録用紙を給紙装置３から画像形成装置２に搬送させる搬送路１０が設置され、この搬送路１０の各所には、記録用紙を一定速度で搬送する用紙搬送ローラー５−１乃至５−１０と、記録用紙の先端が通過したことを検知する用紙検出センサー６−１乃至６−１３が設けられている。また、記録用紙を切断する用紙カッタ９と開閉バッフル７が、それぞれ搬送路１０の各所に設置されている。さらに、ロール紙近傍には図示しない湿度計が設置され、ロール紙近傍の湿度を計測している。
【００１０】
トナー画像を記録用紙に転写する感光体ドラム２１と、転写された画像を定着させる定着部２２と、記録用紙を排出するための用紙排出口８は、画像形成装置２に設置される。また、カット紙を給紙することができる手差し給紙トレイ４−３が画像形成装置２に設置される場合もある。そして、給紙装置３には、ロール紙４−１，４−２が収容される。
【００１１】
ここで、複写機０の印刷処理について簡単に説明する。
【００１２】
コピーを行うには、スキャナー００で原稿を読み込み、画像データをプリンタ１に送る。このプリンタ１において、例えば、ロール紙４−１から給紙を行う場合には、まず設置されたロール紙４−１から引き出された記録用紙を、用紙搬送ローラ５−３によって送り出し、さらに順に用紙搬送ローラ５−４、用紙搬送ローラ５−５によって搬送する。ここで、記録用紙は搬送路１０内を移動する。また、搬送路１０の各所には、用紙検出センサー６−１乃至６−１３が設置されており、各用紙検出センサーは記録用紙の先端が通過したことを検知する。用紙検出センサー６−５が記録用紙を検出した後の時間を計測することにより、記録用紙の長さを検出することができる。
【００１３】
用紙検出センサー６−６によって、記録用紙の先端が検出されると、用紙搬送ローラ５−５を停止し、開閉バッフル７を図１の点線のように開く。用紙搬送ローラ５−４は停止していないので、開閉バッフル７に沿って、記録用紙によるループが生成される。用紙搬送ローラ５−４を一定時間停止させ、一定の長さのループが生成されると、再び用紙搬送ローラ５−５を駆動する。そして、用紙カッタ９での記録用紙の位置が、ユーザ所望の長さになっていることを検知すると、用紙搬送ローラ５−３，５−４を停止し、用紙カッタ９が記録用紙を切断する。
【００１４】
切断された記録用紙は、搬送ローラ５−６，５−７により、搬送路１０内を移動し、順に、感光体ドラム２１、定着部２２、用紙排出口８を経て排出される。感光体ドラム２１において、記録用紙に転写されたトナー画像は、定着部２２にて定着処理が行われる。ここでは、給紙装置３に収容された記録用紙の給紙に係る印刷処理について説明しているが、手差し給紙トレイ４−３からカット紙を送り込んで、このカット紙に対して印刷処理を行う場合もある。以上がプリンタ１の印刷処理の簡単な説明である。
【００１５】
なお、本発明に係る印刷装置としての複写機０は、オプション機器が追加された構成をとってもよい。例えば、印刷が完了した記録用紙に折畳処理を実行し、記録用紙を折り畳まれた状態で排出するフォルダ装置が、複写機０に追加された構成がある。この構成において、記録用紙は、定着部２２での定着処理の完了後にこのフォルダ装置に搬送され、該フォルダ装置での折畳処理の実行後、折り畳まれた状態で排出される。また、このフォルダ装置に用紙検出センサーが設置されていてもよい。
【００１６】
次に、プリンタ１の機能について図２を参照して説明する。プリンタ１は、制御部１１と、記憶部１２と、表示部１３と、操作部１４と、画像形成部１５と、インターフェイス１６と、センサ部１７と、給紙部１８と、周辺機器接続部１９とを含んで構成される。
【００１７】
ここで、制御部１１は、記憶部１２に格納されているプログラムに従って動作しており、スキャナー００から送られた画像データを画像形成部１５に出力する。また、制御部１１は、図３の機能ブロック図に示すような機能を有する。制御部１１の具体的な処理の内容については後に説明する。
【００１８】
記憶部１２は、不揮発性メモリやＲＡＭなどのメモリ素子を含んで構成され、制御部１１によって実行されるプログラムを保持している。また、後に説明するが、プリンタ１での印刷処理において紙詰まりが発生した時に、該印刷処理の実行日時、紙詰まり位置、用紙サイズ、用紙の質、該印刷処理実行時の湿度、等の履歴情報を紙詰まり履歴として記憶している。
【００１９】
また、記憶部１２は、制御部１１が後述する機能限定モードに移行するための判断基準としての機能限定条件を記憶している。この機能限定条件の具体的な内容については後に説明する。
【００２０】
表示部１３は、例えば複写機０の壁面に設置される小型ディスプレイであり、制御部１１から入力される指示に従って利用者に対して情報を提示する。
【００２１】
操作部１４は、例えば複写機０の壁面に設置される操作ボタンや、タッチパネルであり、ユーザの操作内容を制御部１１に出力する。
【００２２】
画像形成部１５は、一般的な印刷装置に通常用いられるもので足りるため、ここでは説明を省略する。
【００２３】
インターフェイス１６は、ネットワークインターフェイスであり、ネットワークを介して入出力する。
【００２４】
センサ部１７は、上述の湿度計や用紙検出センサ６−１乃至６−１３であり、検出した情報を制御部１１に出力している。用紙検出センサ６−１乃至６−１３には、例えばフォトセンサなどがある。
【００２５】
給紙部１８は、例えば上述の給紙装置３であり、一般的な印刷装置に通常用いられるもので足りるため、ここでは説明を省略する。
【００２６】
周辺機器接続部１９は、一般的な複写機を構成するプリンタに通常用いられるものであり、スキャナー００から送られた画像データを制御部１１に出力する。
【００２７】
ここで、プリンタ１の制御部１１の具体的な処理について、図３の機能ブロックを参照して説明する。プリンタ１の制御部１１は、紙詰まり検知部１１ａと、紙詰まり履歴取得部１１ｂと、条件判断部１１ｃと、印刷機能限定部１１ｄと、印刷指示転送部１１ｅと、プリンタ検索部１１ｆ、とを含んで構成されている。
【００２８】
ユーザは、複写機０によってコピーを行うに伴い、操作部１４で用紙サイズなどの印刷条件を入力して、印刷処理を実行する。この印刷処理において紙詰まりが発生したときに、制御部１１の紙詰まり検知部１１ａは、一定時間記録用紙を検知しない用紙検出センサーが存在することによって紙詰まりが発生したことを検知する。紙詰まりの発生を検出すると、制御部１１の紙詰まり履歴取得部１１ｂが、例えば、印刷実行日時、紙詰まり位置、用紙サイズ、用紙の質、該印刷処理実行時の湿度、等の紙詰まり履歴を取得して図４のように記憶部１２に記憶する。ここで、紙詰まり位置は、記録用紙を検出しているセンサ部１７の用紙検出センサーのうち最も下流にある用紙検出センサー、を検出することで特定する。また、印刷処理実行時の湿度は、上述のセンサ部１７の湿度計が計測した湿度を、紙詰まり履歴取得部１１ｂが取得したものである。また、上述のフォルダ装置をオプション機器としてプリンタ１に設置された構成の場合は、紙詰まり履歴として、折畳処理の種類や耳折処理の有無を図４にさらに追加して図５のように記憶してもよい。
【００２９】
紙詰まり履歴を取得すると、制御部１１の条件判断部１１ｃが、紙詰まり履歴を参照して、記憶部１２に予め設定されている機能限定条件に該当するかどうかを判断する。
【００３０】
ここでは、例えば「２回連続して３０分以内に、用紙サイズＡ０で、かつ、用紙検出センサー６−９付近で紙詰まりが発生したこと」という機能限定条件が記憶部１２に設定されている場合を考える。これは、つまり、感光体ドラム２１付近の各所に設けられた、図１に図示していないフィンガの一部にトラブルがあることにより、感光体ドラム２１に吸着した記録用紙をうまく剥がすことができないために紙詰まりが発生していることを想定して設定された機能限定条件であり、この場合の対処としては、Ａ０より小さい用紙サイズを用いることにより、トラブルのあるフィンガを用いずに記録用紙を剥がし、用紙検出センサー６−９付近での紙詰まりを解消することができる可能性が高い。
【００３１】
条件判断部１１ｃが、紙詰まり履歴を参照してこの機能限定条件に該当していると判断すると、制御部１１の印刷機能限定部１１ｄが、今後のこのプリンタ１による印刷処理において、Ａ０サイズは選択できないようプリンタ可能な用紙を制限し、プリンタ１の運用状態を機能限定モードに自動的に移行させる。図６の画面は、表示部１３においてユーザが印刷処理に係る用紙サイズを選択する画面の一例であり、点線で表示されることにより、Ａ０サイズボタン６１を選択できないことを示している。ここで、制限内容は、上述の機能限定条件に対して一意に記憶部１２に既定されているものである。また、ここでは、印刷機能限定部１１ｄは、プリンタ１の運用状態を自動的に機能限定モードに移行させたが、図７のような画面を表示部１３に表示することにより、ユーザの同意を経て機能限定モードに移行させてもよい。
【００３２】
機能限定モードに移行後、制御部１１は図８のような画面を表示部１３に表示し、この印刷指示をネットワーク上の同種のプリンタ１に転送するか否かユーザに問い合わせる。ここで、ユーザが印刷指示を転送する旨の選択を行うと、制御部１１のプリンタ検索部１１ｆが、ネットワーク上に存在する他のプリンタ１を検索し、検索されたプリンタ１のプリンタモデル名の一覧を表示部１３に図９のように表示する。ここで、プリンタ検索部１１ｆは、検索されたプリンタ１のプリンタモデル名、ＩＰアドレス、等の情報をプリンタ１の検索処理に伴って取得してもよく、この場合において図９に一覧表示するプリンタモデル名に関連付けてＩＰアドレスを追加して表示してもよい。そして、ユーザは操作部１４から入力して、この印刷指示を転送したいプリンタ１を選択する。制御部１１の印刷指示転送部１１ｅは、ユーザによる入力を受けて、選択されたプリンタ１に対して、この印刷指示を転送して、処理を終了する。なお、ここでは、ネットワーク上のプリンタ１を検索したが、複写機０を検索して印刷指示を転送してもよい。
【００３３】
また、機能限定モードに移行後、制御部１１は図１０のような画面を表示部１３に表示し、印刷条件を変更して印刷処理を行うか否かユーザに問い合わせる。ここで、ユーザが印刷条件を変更する旨の選択を行うと、変更された印刷条件で印刷処理が行われる。
【００３４】
サービスマンがプリンタ１の修理を完了すると、ユーザが、操作部１４にて図示しない操作を行い、図１１のような画面を表示部１３に表示させて、機能限定モードを解除することができる。
【００３５】
また、機能限定条件は、例えば「２回連続して３０分以内に、湿度９０％以上で、かつ、用紙の質がトレーシングペーパー、で紙詰まりが発生したこと」であってもよい。これは、つまり、極端な高湿度環境でトレーシングペーパーへの印刷を行うと、記録用紙の先端が引っかかり易くなっているため、開閉バッフル７付近、感光体ドラム２１付近、定着部２２付近で紙詰まりしやすいことを想定して設定された機能限定条件であり、この場合の対処としては、トレーシングペーパーを使用せず普通紙で印刷を行うことにより、紙詰まりを解消することができる可能性が高い。
【００３６】
条件判断部１１ｃが、紙詰まり履歴を参照してこの機能限定条件に該当していると判断すると、制御部１１の印刷機能限定部１１ｄが、今後のこのプリンタ１による印刷処理において、用紙の質にトレーシングペーパーを選択できないように、印刷可能な用紙を制限し、プリンタ１の運用状態を機能限定モードに移行させる。図１２の画面は、表示部１３においてユーザが印刷処理に係る用紙の質を選択する画面の一例であり、点線で表示されることにより、トレーシングペーパ（ここではトレペ）ボタン１２１が選択できないことを示している。
【００３７】
湿度が９０％未満になったことを、上述のセンサ部１７の湿度計が検出すると、印刷機能限定部１１ｄが図１３のような画面を表示部１３に表示させて、機能限定モードを解除することができる。
【００３８】
さらに、機能限定条件は、例えば「２回連続して３０分以内に、耳折処理が有、の設定でフォルダ装置で紙詰まりが発生したこと」であってもよい。これはフォルダ装置における耳折処理が失敗していることを想定して設定された条件であり、この場合の対処としては、耳折処理を実行しないことにより紙詰まりを解消することができる可能性が高い。
【００３９】
条件判断部１１ｃが、紙詰まり履歴を参照してこの機能限定条件に該当していると判断すると、制御部１１の印刷機能限定部１１ｄが、今後のこのプリンタ１による印刷処理において、耳折処理の実行を選択できないよう印刷可能な機能を制限し、プリンタ１の運用状態を機能限定モードに移行させる。図１４の画面は、表示部１３においてユーザが印刷処理における耳折処理の有無を選択する画面の一例であり、点線で表示されることにより、耳折ボタン１４１が選択できないことを示している。
【００４０】
サービスマンがフォルダ装置の修理を完了すると、ユーザは操作部１４から入力して機能限定モードを解除することができる。
【００４１】
このように、本発明に係る印刷装置としての複写機０は以上の構成を以ってなり、コピーを行うに伴い、プリンタ１の制御部１１は図１５のフローチャートのように動作する。すなわち、ユーザの印刷指示を受けて、プリンタ１が実行した印刷処理に紙詰まりが発生すると、制御部１１の紙詰まり検知部１１ａは、搬送路１０の各所に設けられた各用紙検出センサーから、各自の用紙検出結果を取得し、この用紙検出結果を参照して、紙詰まりが発生したことを検知する（Ｓ００１）。紙詰まりの発生が検知されると、制御部１１の紙詰まり履歴取得部１１ｂが、印刷処理の実行日時、紙詰まり位置、用紙サイズ、用紙の質、印刷処理実行時の湿度、等を紙詰まり履歴として取得して記憶部１２に記憶する（Ｓ００２）。ここで、紙詰まり位置は、記録用紙を検出している用紙検出センサーのうち最も下流に位置する用紙検出センサー、を検出することで特定している。また、複写機０に対し、オプション機器として上述のフォルダ装置を設置している場合は、紙詰まり履歴として、折畳処理の種類や耳折処理の有無をさらに紙詰まり履歴として記憶してもよい。
【００４２】
紙詰まり履歴が取得されると、制御部１１の条件判断部１１ｃが、紙詰まり履歴を参照して、記憶部１２に予め設定されている機能限定条件に該当するかどうかを判断する（Ｓ００３）。ここで、この機能限定条件としては、例えば「２回連続して３０分以内に、用紙サイズＡ０で、かつ、用紙検出センサー６−９付近で紙詰まりが発生したこと」や、「２回連続して３０分以内に、湿度９０％以上で、かつ、用紙の質がトレーシングペーパー、で紙詰まりが発生したこと」や、「２回連続して３０分以内に、耳折処理が有、の設定でフォルダ装置で紙詰まりが発生したこと」などがある。紙詰まり履歴が、この機能限定条件に該当していない場合はそのまま処理を終了する。
【００４３】
一方で、条件判断部１１ｃは、紙詰まり履歴がこの機能限定条件に該当していると判断すると、制御部１１が図７のような画面を表示部１３に表示して、機能限定モードに移行するか否か問い合わせる（Ｓ００４）。ユーザが、移行しない旨の選択をすると、機能限定モードに移行せずにそのまま処理を終了するが、移行する旨の選択をすると、制御部１１の印刷機能限定部１１ｄが、プリンタ１の印刷機能を、該機能限定条件に対応する印刷機能に制限し、プリンタ１は機能限定モードに移行する（Ｓ００５）。この運用において、例えば、用紙サイズが制限されている場合は、表示部１３に表示される図６の画面において、Ａ０サイズボタン６１が点線で表示され、ユーザがＡ０サイズを選択できなくなる。また、紙詰まり履歴が複数の機能限定条件に該当する場合、印刷機能限定部１１ｄは、各機能限定条件に対応する印刷機能制限を重複して適用することとしてもよい。また、Ｓ００４にて機能限定モードに移行するか否か問い合わせているが、Ｓ００３において、紙詰まり履歴が既定の機能限定条件に該当すると判断された場合に、自動的に機能限定モードに移行することとしてもよい。
【００４４】
機能限定モードに移行後、制御部１１は図８のような画面を表示部１３に表示し、この印刷指示をネットワーク上の同種のプリンタ１に転送するか否かユーザに問い合わせる（Ｓ００６）。ここで、ユーザが印刷指示を転送する旨の選択をすると、制御部１１のプリンタ検索部１１ｆが、ネットワーク上に存在する他のプリンタ１を検索し、検索されたプリンタモデル名の一覧を表示部１３に図９のように一覧表示する（Ｓ００７）。制御部１１の印刷指示転送部１１ｅは、ユーザによる入力をうけて、選択されたプリンタ１に対して、この印刷指示を転送して（Ｓ００８）、処理を終了する。なお、ここでは、ネットワーク上のプリンタ１を検索したが、複写機０を検索して印刷指示を転送してもよい。
【００４５】
また、プリンタ１の制御部１１は図１６のフローチャートのように動作してもよい。つまり、Ｓ００５において機能限定モードに移行後、制御部１１は図１０のような画面を表示部１３に表示し、印刷条件を変更して印刷処理を行うか否かユーザに問い合わせる（Ｓ００９）。ユーザが印刷条件を変更する旨の選択を行うと、制御部１１は表示部１３に印刷条件を選択する画面を再度表示する（Ｓ０１０）。ここでは機能限定モードに移行しているので、選択できない条件は選択できなくなっている。そして、ユーザは、操作部１４から入力して選択可能な印刷条件を選択し、該印刷条件で印刷処理を実行する（Ｓ０１１）。
【００４６】
機能限定モードに移行後、紙詰まり原因が解消すると、ユーザは表示部１３からの入力により、機能限定を解除し、通常運用に再設定する。
【００４７】
このように本発明に係る印刷装置は、紙詰まりが発生したときの用紙の情報を紙詰まり履歴として保持し、その紙詰まり履歴が既定の機能限定条件に該当するか判断して使用する印刷機能を限定することにより、限定的だが運用を継続することができる。また、上述の機能限定条件を複数設定することにより、多種の紙詰まり原因に対処することができる。さらに、紙詰まりが発生したときに、該印刷指示をネットワーク上の印刷装置に転送することができるため、紙詰まりの発生による影響を小さくすることができる。
【図面の簡単な説明】
【００４８】
【図１】本発明の実施の形態に係る複写機の例を示す構成図である。
【図２】本発明の実施の形態に係る複写機を構成するプリンタの例を示す機能ブロック図である。
【図３】図2の制御部の機能ブロック図である。
【図４】プリンタの紙詰まり履歴の保持形態の一例を示すテーブル図である。
【図５】プリンタの紙詰まり履歴の保持形態の一例を示すテーブル図である。
【図６】機能限定モードに移行した後の用紙選択画面の一例である。
【図７】機能限定モードに移行するかユーザに問い合わせる画面の一例である。
【図８】印刷指示を転送するかユーザに問い合わせる画面の一例である。
【図９】検索されたプリンタを一覧表示してユーザに選択させる画面の一例である。
【図１０】機能限定モードに移行した後、印刷条件を選択するかユーザに問い合わせる画面の一例である。
【図１１】機能限定モードを解除するかユーザに問い合わせる画面の一例である。
【図１２】機能限定モードに移行した後の用紙種類の選択画面の一例である。
【図１３】機能限定モードを解除するかユーザに問い合わせる画面の一例である。
【図１４】機能限定モードに移行した後の紙折り選択画面の一例である。
【図１５】紙詰まりが発生した場合の処理の一例を示すフローチャート図である。
【図１６】紙詰まりが発生した場合の処理の一例を示すフローチャート図である。
【符号の説明】
【００４９】
０  複写機、００  スキャナー、１  プリンタ、２  画像形成装置、３  給紙装置、４−１，４−２  ロール紙、４−３  手差し給紙トレイ、５−１，５−２，５−３，５−４，５−５，５−６，５−７，５−８，５−９，５−１０  用紙搬送ローラー、６−１，６−２，６−３，６−４，６−５，６−６，６−７，６−８，６−９，６−１０，６−１１，６−１２，６−１３  用紙検出センサー、７  開閉バッフル、８  用紙排出口、９  用紙カッタ、１０  搬送路、１１  制御部、１１ａ  紙詰まり検知部、１１ｂ  紙詰まり履歴取得部、１１ｃ  条件判断部、１１ｄ  印刷機能限定部、１１ｅ  印刷指示転送部、１１ｆ  プリンタ検索部、１２  記憶部、１３  表示部、１４  操作部、１５  画像形成部、１６  インターフェイス、１７  センサ部、１８  給紙部、１９  周辺機器接続部、２１  感光体ドラム、２２  定着部、６１  Ａ０サイズボタン、１２１  トレーシングペーパボタン、１４１  耳折ボタン。
【図１】
2007083460.tif 000003
【図２】
2007083460.tif 000004
【図３】
2007083460.tif 000005
【図４】
2007083460.tif 000006
【図５】
2007083460.tif 000007
【図６】
2007083460.tif 000008
【図７】
2007083460.tif 000009
【図８】
2007083460.tif 000010
【図９】
2007083460.tif 000011
【図１０】
2007083460.tif 000012
【図１１】
2007083460.tif 000013
【図１２】
2007083460.tif 000014
【図１３】
2007083460.tif 000015
【図１４】
2007083460.tif 000016
【図１５】
2007083460.tif 000017
【図１６】
2007083460.tif 000018